(57)【要約】【課題】シート状物の伸び、弛み、蛇行を防止することにより、得られたシール物の寸法精度を良好に維持することができるとともに、処理能力も格段に向上することができるシール装置およびこれを用いたシール方法を提供する。【解決手段】被シール物２２を挟み持つ機構（挟持機構４）と、被シール物２２を押圧して熱溶融によりシールする機構（シール機構３）と、被シール物２２を所望の間隔でシールするためにシール搬送路３０を移動する機構（図示せず）と、を備えたシーラー１０，１２が、一定の間隔で対向して複数配置されてなる。【選択図】  図１
2004338120.tif 000002
【特許請求の範囲】
【請求項１】
複数のシート状物を重ね合わせてなる被シール物をシールするシール装置であって、
（１）被シール物を挟み持つ機構と、
（２）前記被シール物を押圧して熱溶融によりシールする機構と、
（３）被シール物を所望の間隔でシールするためにシール搬送路を移動する機構と、
を備えたシーラーが、一定の間隔で対向して複数配置されてなることを特徴とするシール装置。
【請求項２】
前記シーラーが、
（１）前記被シール物を挟み持つタイミングと、
（２）前記被シール物を押圧して熱溶融によりシールするタイミングと、
（３）前記被シール物を所望の間隔でシールするために前記シール搬送路を移動する距離とタイミングと、
を制御する制御機構を有する請求項１に記載のシール装置。
【請求項３】
請求項１又は２に記載のシール装置を用いたシール方法であって、
（１）前記シール搬送路の上流側に配置された前記シーラーが、前記被シール物を挟み持ち、
（２）前記シール搬送路の下流部に配置された前記シーラーが、前記被シール物を熱融着によりシールした後、
（３）前記シール搬送路の下流側に配置された前記シーラーの挟持を解除するとともに、前記シール搬送路の上流側に前記シーラー同士の間隔が一定になるように移動する
ことを反復して行うことを特徴とするシール方法。
【発明の詳細な説明】
【０００１】
【発明の属する技術分野】
本発明は、シール装置およびこれを用いたシール方法に関し、更に詳細には、気泡シートや発泡シート等のシート状物の製袋加工に用いるシール装置およびこれを用いたシール方法に関する。
【０００２】
【従来の技術】
シート状物、特に気泡シートや発泡シートの製袋加工には、主に、熱溶融法によるシール加工、例えば、ヒートシールやインパルスシール（先端部にニクロム線４４が取り付けられ絶縁体４２で絶縁されたシールバー４０に、重ね合わせたシート状物２０，２１（被シール物２２）を圧着する時に、ニクロム線４４を通電・発熱させて溶着・溶断することにより、シール物２４を得る方法［図３及び図４参照］）が用いられている。
【０００３】
このとき、上記製袋加工で使用するシール装置は、手動式及び自動式があるが、手動式の場合、例えば、図３に示すように、被シール物２２の原反からオペレータの手送り量で袋の寸法を決めるため、シート状物２０，２１がスリップした場合であっても適宜調整することができる利点があるが、作業効率が悪く、スピードも遅いという問題点があった。
【０００４】
一方、自動式の場合、例えば、図４に示すように、被シール物２２の原反からピンチロール１７，１８又はベルト（図示せず）で被シール物２２を所定量送り出し、シールと切断を行うため、手動式の問題点が解消され、生産能力を向上させることができる。
【０００５】
しかしながら、上記自動式の場合、シート状物の厚みの変動でスリップが発生しやすくなり、適宜調整する有効な手段がないため、得られた袋状物（シール物）の寸法精度が狂ってしまうという問題点があった。
【０００６】
特に、シート状物が気泡シートである場合、生産材による個体差により、仮に全く同一の設計による機械であっても、気泡内の空気量等が微妙に異なり、シート厚が変動するだけでなく、銘柄によってシート厚も異なってしまい、均一なシート厚を常時確保することが困難であった。
【０００７】
また、シート状物が発泡シートである場合であっても、注入されるガス圧や機械のコンディション等により、得られる発泡シートの厚さの再現性が高いとは言い難かった。
【０００８】
【発明が解決しようとする課題】
本発明は、このような従来技術の有する課題に鑑みてなされたものであり、その目的とするところは、シート状物の伸び、弛み、蛇行を防止することにより、得られたシール物の寸法精度を良好に維持することができるとともに、処理能力も格段に向上することができるシール装置およびこれを用いたシール方法を提供するものである。
【０００９】
【課題を解決するための手段】
すなわち、本発明によれば、複数のシート状物を重ね合わせてなる被シール物をシールするシール装置であって、（１）被シール物を挟み持つ機構と、（２）前記被シール物を押圧して熱溶融によりシールする機構と、（３）被シール物を所望の間隔でシールするためにシール搬送路を移動する機構と、を備えたシーラーが、一定の間隔で対向して複数配置されてなることを特徴とするシール装置が提供される。
このとき、前記シーラーは、（１）前記被シール物を挟み持つタイミングと、（２）前記被シール物を押圧して熱溶融によりシールするタイミングと、（３）前記被シール物を所望の間隔でシールするために前記シール搬送路を移動する距離とタイミングと、を制御する制御機構を有することが好ましい。
【００１０】
また、本発明によれば、上記のシール装置を用いたシール方法であって、（１）前記シール搬送路の上流側に配置された前記シーラーが、前記被シール物を挟み持ち、（２）前記シール搬送路の下流部に配置された前記シーラーが、前記被シール物を熱融着によりシールした後、（３）前記シール搬送路の下流側に配置された前記シーラーの挟持を解除するとともに、前記シール搬送路の上流側に前記シーラー同士の間隔が一定になるように移動することを反復して行うことを特徴とするシール方法が提供される。
【００１１】
【発明の実施の形態】
以下、本発明の実施の形態を図面に基づいて更に詳細に説明する。
図１は発明のシール装置の一例を示す概略斜視図であり、図２は本発明のシール方法の手順を説明する説明図である。
【００１２】
本発明のシール装置の主な特徴は、図１に示すように、被シール物２２を挟み持つ機構（挟持機構４）と、被シール物２２を押圧して熱溶融によりシールする機構（シール機構３）と、被シール物２２を所望の間隔でシールするためにシール搬送路３０を移動する機構と、を備えたシーラー１０，１２が、一定の間隔で対向して複数配置されてなるものである。
【００１３】
このとき、前記シーラー１０，１２は、少なくとも１対あれば、特に限定されず、シール方法やシート状物の種類によって、適宜選択することができるが、通常、２０〜２２対程度であることが好ましい。
尚、長尺の袋を作る際は、２つのシールバーの間に昇降式の受け台を設けてもよい。
【００１４】
また、本発明のシール装置は、複数のシールバーが交互に動作することにより、シールに要する動作時間を短縮できるため、通常のシーラーより処理能力を格段に向上することができる（図２参照）。
【００１５】
尚、本発明で用いるシーラーは、例えば、図１に示すように、１対のアーム１，２の内、アーム２を昇降させることにより、被シール物２２をアーム１，２で被シール物２２を挟み持つ機構（挟持機構４）と、被シール物２２をアーム１，２で押圧して熱溶融によりシールする機構（シール機構３）と、シーラー１０，１２を跨いでシーラー１０，１２同士の間隔が一定になるように、シール搬送路３０を移動する移動機構（図示せず）とを有することが好ましい。
【００１６】
次に、上記シール装置を用いたシール方法について説明する。
本発明のシール方法は、例えば、図２に示すように、シール搬送路３０の上流側に配置されたシーラー１０が、被シール物２２を挟み持ち（▲１▼参照）、シール搬送路３０の下流部に配置されたシーラー１２が、被シール物２２を熱融着によりシールした後（▲２▼参照）、シール搬送路３０の下流側に配置されたシーラー１２の挟持を解除するとともに、シーラー１２がシール搬送路３０の上流側に配置されたシーラー１０を跨いでシール搬送路３０の上流側から下流側にシール搬送路３０の上流側にシーラー１０，１２同士の間隔が一定になるように移動する（▲３▼参照）、といった一連の動作（▲１▼〜▲３▼）をシーラー１０，１２同士で反復して行うものである。
【００１７】
これにより、本発明のシール方法は、シート状物（特に、気泡シートや発泡シート）に張力や変動を生じさせることがなく、シート状物の伸び、弛み、蛇行を防止することができるため、常に一定の速度で被シール物を移送・シールすることができるとともに、得られたシール物の寸法精度を良好に維持することができる。
【００１８】
尚、本発明で用いるシート状物は、機械によるフィルム包装に用いられるものであれば、特に限定されないが、特に気泡シートや発泡シートであることが好ましい。
【００１９】
【発明の効果】
以上説明した通り、本発明のシール装置及びこれを用いたシール方法は、シート状物の伸び、弛み、蛇行を防止することにより、得られたシール物の寸法精度を良好に維持することができるとともに、処理能力も格段に向上することができる。
【図面の簡単な説明】
【図１】本発明のシール装置の一例を示す概略斜視図である。
【図２】本発明のシール方法の手順を説明する説明図である。
【図３】従来のシール装置の一例（手動式）を示す説明図である。
【図４】従来のシール装置の他の例（自動式）を示す説明図である。
【符号の説明】
１，２…アーム、
３…シール機構、
４…挟持機構、
１０，１２…シーラー、
１７，１８…ローラー、
２０，２１…シート状物、
２２…被シール物、
２３…シール部、
２４…シール物、
３０…シール搬送路、
４０…シールバー、
４２…絶縁体、
４４…ニクロム線、
５０…受け台。
【図１】
2004338120.tif 000003
【図２】
2004338120.tif 000004
【図３】
2004338120.tif 000005
【図４】
2004338120.tif 000006